(57)【特許請求の範囲】
【請求項１】
鉛直方向に延びる柱状の照明器具であって、
光を発する光源と、
前記光源を囲む前記柱状の側面を形成し、前記光源が発した光を加工して透過させる電子パネルと、
前記電子パネルの鉛直方向の１辺である基板接続辺から前記柱状の内方へ延出するフレキシブル基板と、
前記電子パネルの外側から、前記基板接続辺に沿って取り付けられ、前記基板接続辺に直交する方向の所定の幅にて前記電子パネルの一部領域をカバーする外柱と、
前記電子パネルの内側から、前記基板接続辺に沿って取り付けられ、前記フレキシブル基板をカバーする内柱と、を備え、
前記外柱及び前記内柱は、前記内柱が前記光源の光を妨げることにより前記電子パネルに形成される前記内柱の影が前記外柱の領域に収まる構成である、
照明器具。
【請求項２】
前記内柱の水平面の形状は、前記柱状の内方へ突出する形状であり、
前記内柱の突出方向と前記電子パネルとの間の角度は、前記内柱の突出によって前記電子パネルに形成される前記内柱の影が前記外柱の領域に収まる範囲内である、
請求項１に記載の照明器具。
【請求項３】
前記柱状は正四角柱の形状であり、
前記内柱の突出方向と前記電子パネルとの間の角度は略４５度である、
請求項２に記載の照明器具。
【請求項４】
前記柱状は真円柱の形状であり、
前記内柱の突出方向と前記電子パネルとの間の角度は略９０度である、
請求項２に記載の照明器具。
【発明の詳細な説明】
【技術分野】
【０００１】
本開示は、照明器具に関する。
【背景技術】
【０００２】
特許文献１には、ダウンロードした画像を表示する表示面を、光源を囲むランプシェードとして構成した照明器具が開示されている。これにより、光源がバックライトとなり、表示面に表示された画像が視認される。
【先行技術文献】
【特許文献】
【０００３】
【特許文献１】米国特許出願公開第２０１６／２３８２３５号明細書
【発明の概要】
【発明が解決しようとする課題】
【０００４】
特許文献１に開示された照明器具は、一般的な平面バックライトを備える液晶モニタと異なり、表示面と光源とが離れている。また、表示面を実現する実際のデバイスは、画像を表示する電子パネルと、当該電子パネルに接続し、画像の表示を制御するフレキシブル基板とを含む。フレキシブル基板は、電子パネルの端から延出しているため、光源と電子パネルの間に存在して、電子パネルに影を形成してしまうおそれがある。
【０００５】
本開示は、画像を表示する電子パネルの１辺から延出するフレキシブル基板が電子パネルに影を形成してしまうことを防止した照明器具を提供することを目的とする。
【課題を解決するための手段】
【０００６】
本開示に係る照明器具は、鉛直方向に延びる柱状の照明器具であって、光を発する光源と、前記光源を囲む前記柱状の側面を形成し、前記光源が発した光を加工して透過させる電子パネルと、前記電子パネルの鉛直方向の１辺である基板接続辺から前記柱状の内方へ延出するフレキシブル基板と、前記電子パネルの外側から、前記基板接続辺に沿って取り付けられ、前記基板接続辺に直交する方向の所定の幅にて前記電子パネルの一部領域をカバーする外柱と、前記電子パネルの内側から、前記基板接続辺に沿って取り付けられ、前記フレキシブル基板をカバーする内柱と、を備え、前記外柱及び前記内柱は、前記内柱が前記光源の光を妨げることにより前記電子パネルに形成される前記内柱の影が前記外柱の領域に収まる構成である。
【発明の効果】
【０００７】
本開示によれば、画像を表示する電子パネルの１辺から延出するフレキシブル基板が電子パネルに影を形成してしまうことを防止した照明器具を提供できる。
【図面の簡単な説明】
【０００８】
【図１】本実施の形態に係る照明器具の構成の一例を示す斜視図
【図２】外柱付近の構成の一例を示す拡大斜視図
【図３】外柱付近の構成の一例を示す拡大上面図
【図４】円柱形状の照明器具の構成の一例を示す上面図
【発明を実施するための形態】
【０００９】
以下、図面を適宜参照して、本開示の実施の形態について、詳細に説明する。ただし、必要以上に詳細な説明は省略する場合がある。例えば、すでによく知られた事項の詳細説明及び実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の記載の主題を限定することは意図されていない。
【００１０】
（本実施の形態）
図１は、本実施の形態に係る照明器具の構成の一例を示す斜視図である。
【００１１】
なお、説明の便宜上、図１に示すように、鉛直方向（高さ方向）に延びる軸をＺ軸とし、Ｚ軸に直交する１つの軸をＸ軸とし、Ｘ軸及びＺ軸に直交する軸をＹ軸とする。また、Ｚ軸の正方向を「上」、Ｚ軸の負方向を「下」、Ｘ軸の正方向を「右」、Ｘ軸の負方向を「左」と称する場合がある。また、ＸＹ平面を水平面、ＸＹ平面に垂直な面を垂直面と称する場合がある。ただし、これらの方向に係る表現は、説明の便宜上用いられるものであって、当該構造の実使用時における姿勢を限定する意図ではない。
【００１２】
照明器具１は、鉛直方向に延びる柱状の形状を呈する。例えば、図１に示すように、照明器具１は、鉛直方向に延びる略四角柱の形状を呈する。ただし、照明器具１の形状は、四角柱に限られず、三角柱、五角柱、六角柱、八角柱といった他の角柱であってもよい。また、照明器具１の形状は、正角柱（例えば正四角柱）に限られず、どのような角柱であってもよい。
【００１３】
照明器具１は、光源１１、電子パネル１２、下面パネル１３、制御筐体１４、制御部１５、電源ケーブル１６、ワイヤー１７及び外柱１８を備える。
【００１４】
光源１１は、四角柱の内部に配置され、光を発する装置である。光源１１は、図１に示すように、球状のＬＥＤ電球である。あるいは、光源１１は、下方に延びる棒状のＬＥＤ蛍光灯であってよい。
【００１５】
電子パネル１２は、四角柱の４つの側面を形成するように、角筒状に配置される。すなわち、照明器具１は、４つの電子パネル１２を備える。以下、互いに隣接する電子パネル１２によって形成される四角柱の側面の交線を、側稜３０と称する。また、電子パネル１２は、画像を表示可能であり、光源１１が発した光を加工して透過させる。電子パネル１２に表示される画像は、静止画又は動画のいずれであってもよい。電子パネル１２の例として、液晶パネル又はＯＬＥＤ（Organic Light-Emitting Diode）パネルが挙げられる。
【００１６】
照明器具１を見た人は、光源１１が発する光をバックライトとして、電子パネル１２に表示された画像を視認できる。加えて、照明器具１は、光源１１から電子パネル１２の各画素までの距離が異なるため、電子パネル１２の各画素の受ける光量が異なる。加えて、電子パネル１２の内側には、光を拡散する拡散シートが張り付けられてもよい。これらの構成によれば、照明器具１の電子パネル１２に表示された画像は、照明器具１を見た人に、平面バックライトを備えた一般的な液晶モニタに表示される画像とは異なるイメージで視認される。よって、照明器具１を用いることにより、一般的な液晶モニタでは実現が難しい様々な演出を実現できる。
【００１７】
下面パネル１３は、四角柱の下面を形成するように配置される。すなわち、下面パネル１３の４辺は、４つの電子パネル１２の下辺に固定される。下面パネル１３は、透明なパネルであってもよいし、所定の色を有する半透明のパネルであってもよい。あるいは、照明器具１は、下面パネル１３を備えなくてもよい。
【００１８】
制御筐体１４は、四角柱の上部を形成するように配置される。制御筐体１４の形状は、四角柱であってもよいし、図１に示すように、四角錐台であってもよい。
【００１９】
制御部１５は、制御筐体１４の内部に配置され、電子パネル１２の画像表示を制御する装置である。加えて、制御部１５は、光源１１の発光を制御してもよい。光源１１の発光制御の例として、光源１１の点滅パターンの制御及び光量の制御が挙げられる。制御部１５は、プロセッサ、メモリ及び通信Ｉ／Ｆ（Interface）を備える回路基板であってよい。プロセッサは、メモリから読み出した所定のプログラム及びデータに基づいて、電子パネル１２の画像表示制御及び光源１１の発光制御を行ってよい。また、プロセッサは、通信Ｉ／Ｆを通じて、所定のサーバから、電子パネル１２に表示させる画像のデータ、及び、光源１１の発光制御に関するデータを受信し、メモリに格納してよい。通信Ｉ／Ｆは、Ｅｔｈｅｒｎｅｔ（登録商標）に代表される有線通信を行うＩ／Ｆであってもよいし、ＷｉＦｉ（登録商標）に代表される無線通信を行うＩ／Ｆであってもよい。
【００２０】
電源ケーブル１６は、制御筐体１４の内部の制御部１５から、制御筐体１４の上面を貫通して上方に延び、天井、梁又はライティングレールといった照明器具１を吊り下げる部材（以下「吊り下げ用部材」という）に設けられた電源（図示しない）に接続する。光源１１、電子パネル１２及び制御部１５は、電源ケーブル１６を通じて供給された電力によって動作する。
【００２１】
ワイヤー１７は、一端が制御筐体１４の上面に取り付けられ、他端が吊り下げ用部材に固定される。ワイヤー１７は、１本であってもよいし、図１に示すように２本であってもよいし、３本以上であってもよい。
【００２２】
上述の構成によれば、照明器具１を吊り下げるための力が、電源ケーブル１６及びワイヤー１７に分散される。よって、照明器具１をより安全に吊り下げることができる。ただし、電源ケーブル１６による吊り下げにて十分安全な場合、ワイヤー１７は設けられなくてもよい。なお、照明器具１の設置方法は、吊り下げられる場合に限られず、地面、床又はテーブル等に置かれてもよい。
【００２３】
外柱１８は、四角柱の外側の側稜３０に沿って取り付けられ、互いに隣接する電子パネル１２を固定する。外柱１８は、電子パネル１２の鉛直方向の１辺から水平方向（Ｘ方向又はＹ方向）に所定の幅Ｗの領域を有する構成であってよい。外柱１８は、不透明な樹脂又はプラスチック等で構成されてよい。外柱１８の幅Ｗは、電子パネル１２における画像表示領域、照明器具１のデザイン、及び、照明器具１に求められる強度等に基づいて定められてよい。
【００２４】
図２は、外柱１８付近の構成の一例を示す拡大斜視図である。図２は、Ｘ軸に平行な電子パネル１２を前面にしてＺ軸の正方向から斜めに見た図である。図３は、外柱１８付近の構成の一例を示す拡大上面図である。図３は、Ｚ軸の正方向からＺ軸の負方向を見た図である。なお、図２及び図３は、下面パネル１３、制御筐体１４、制御部１５、電源ケーブル１６及びワイヤー１７等の描画を省略している。
【００２５】
電子パネル１２には、電子パネル１２の鉛直方向の１辺である基板接続辺３１から四角柱の内方へ延出するフレキシブル基板１９が設けられる。フレキシブル基板１９は、制御部１５と電気的に接続され、制御部１５から受信した信号に基づいて、電子パネル１２に画像を表示させる。
【００２６】
照明器具１は、四角柱の側稜３０の内側に、当該側稜３０に沿って取り付けられ、フレキシブル基板１９をカバーする内柱２０を備える。図２及び図３に示すように、内柱２０の水平断面は、光源１１に近づく方向に突出するＵ字型（コの字型）の形状を呈する。ただし、内柱２０の水平断面は、Ｕ字型に限られず、例えばＶ字型又は円弧型であってもよい。内柱２０を設けることにより、フレキシブル基板１９を保護すると共に、フレキシブル基板１９の位置を固定する。なお、内柱２０とフレキシブル基板１９との間に樹脂製の部材を挟み込み、内柱２０を金属部材で構成してもよい。内柱２０を金属部材で構成することにより、フレキシブル基板１９から輻射される電磁ノイズの外部漏洩を抑止できる。
【００２７】
すなわち、内柱２０は、電子パネル１２の内側から、フレキシブル基板１９をカバーするように、基板接続辺３１に沿って取り付けられる。外柱１８は、電子パネル１２の外側から、基板接続辺３１に直交する所定の幅Ｗにて電子パネル１２の一部領域をカバーするように、基板接続辺３１に沿って取り付けられる。
【００２８】
また、内柱２０の両端は、外柱１８の両端が接続している部品と接続されている。図２では、図示されていないが、内柱２０は端から端までが繋がったものであり、外柱１８と同様に全体を支えている。内柱２０を金属等の硬く折れにくい素材にすることで、照明器具１の強度を高めることができる。
【００２９】
また、内柱２０で囲まれている箇所は、フレキシブル基盤１９の中でも特に熱が発生しやすい箇所である。よって、内柱２０の内側は、熱がこもりやすい。そこで、図２に示すように、内柱２０は、柱の途中の手前部分がくり抜かれ、フレキシブル基盤１９が見える形状であってよい。これにより、フレキシブル基盤１９から発生した熱を、内柱２０のくり抜かれた箇所から逃がすことができる。
【００３０】
内柱２０は、図３に示すように、光源１１が発する光３２を妨げ、電子パネル１２に影を形成し得る。そこで、本実施の形態では、外柱１８及び内柱２０を、内柱２０が光源１１の光３２を妨げることによって電子パネル１２に形成される影が外柱１８の領域（幅Ｗの領域）に収まるように構成する。
【００３１】
例えば、図３に示すように、内柱２０の突出方向と電子パネル１２との間の角度θを、内柱２０の突出によって電子パネル１２に形成される影が外柱１８の領域（幅Ｗの領域）に収まるように構成する。角度θがとり得る範囲は、内柱２０の突出方向の長さＬと、外柱１８の幅Ｗと、光源１１の位置、形状及び大きさとに基づいて決定される。
【００３２】
これにより、内柱２０が光源１１の光３２を妨げることにより電子パネル１２に形成される影は、外柱１８の領域（幅Ｗの領域）に収まるので、当該影は、照明器具１を見る人に視認されない。すなわち、照明器具１において、画像を表示する電子パネル１２の端から延出するフレキシブル基板１９が電子パネル１２に影を形成することを、防止できる。
【００３３】
角度θは、隣接する２つの電子パネル１２によって形成される水平面の角度の２分の１であってよい。例えば、照明器具１の形状が正四角柱である場合、隣接する２つの電子パネル１２によって形成される水平面の角度は９０度であるので、角度θは略４５度（例えば４５度±５度）であってよい。例えば、照明器具１の形状が正六角柱である場合、隣接する２つの電子パネル１２によって形成される水平面の角度は１２０度であるので、角度θは略６０度（例えば６０度±５度）であってよい。これにより、内柱２０の影の大きさが最小となるので、外柱１８の幅Ｗを最小に（つまり最も細く）できる。
【００３４】
＜変形例＞
上述では、照明器具１が角柱の形状である場合を説明したが、照明器具１の形状は角柱に限られない。次に、照明器具１の形状が円柱である場合について説明する。
【００３５】
図４は、円柱形状の照明器具１の構成の一例を示す上面図である。図４は、Ｚ軸の正方向からＺ軸の負方向を見た図である。なお、図４は、下面パネル１３、制御筐体１４、制御部１５、電源ケーブル１６及びワイヤー１７等の描画を省略している。
【００３６】
照明器具１は、図４に示すように、曲面状の１つの電子パネル１２が円柱の側面を形成するように（つまり円筒状に）配置された構成であってよい。あるいは、照明器具１は、曲面状の複数の電子パネル１２が円柱の側面を形成するように（つまり円筒状に）配置された構成であってもよい。
【００３７】
電子パネル１２には、電子パネル１２の鉛直方向の１辺である基板接続辺３１から、円柱の内方へ延出するフレキシブル基板１９が設けられる。
【００３８】
外柱１８は、円柱の外側の側面から、電子パネル１２の基板接続辺３１に沿って取り付けられる。これにより、外柱１８は、基板接続辺３１と隣接する電子パネル１２の１辺との間の隙間をカバーすると共に、電子パネル１２の配置を固定する。
【００３９】
内柱２０は、円柱の内側の側面から、電子パネル１２の基板接続辺３１から延出するフレキシブル基板１９をカバーするように、当該基板接続辺３１に沿って取り付けられる。
【００４０】
このように、照明器具１が円柱の形状であっても、図３の場合と同様に、内柱２０の突出方向の長さＬ、外柱１８の幅Ｗ、光源１１の位置、形状及び大きさに基づいて、角度θのとり得る範囲を決定することができる。すなわち、照明器具１が円柱の形状であっても、図３の場合と同様に外柱１８及び内柱２０を設けることで、内柱２０が光源１１の光３２を妨げることによって電子パネル１２に形成される影が照明器具１を見る人に視認されることを、防止できる。
【００４１】
また、照明器具１が正円柱の形状である場合、角度θは略９０度（例えば９０度±５度）であってよい。これにより、内柱２０の影の大きさが最小となるので、外柱１８の幅Ｗを最小に（つまり最も細く）できる。
【００４２】
（本開示のまとめ）
本開示に係る照明器具（１）、鉛直方向に延びる柱状であって、光を発する光源（１１）と、光源を囲む柱状の側面を形成し、光源が発した光を加工して透過させる電子パネル（１２）と、電子パネルの鉛直方向の１辺である基板接続辺（３１）から柱状の内方へ延出するフレキシブル基板（１９）と、電子パネルの外側から、基板接続辺に沿って取り付けられ、基板接続辺に直交する方向の所定の幅（Ｗ）にて電子パネルの一部領域をカバーする外柱（１８）と、電子パネルの内側から、基板接続辺に沿って取り付けられ、フレキシブル基板をカバーする内柱（２０）とを備え、外柱及び内柱は、当該内柱が光源の光を妨げることにより電子パネルに形成される影が外柱の領域に収まる構成である。内柱の水平面の形状は、柱状の内方へ突出する形状であり、内柱の突出方向と電子パネルとの間の角度（θ）は、内柱の突出によって電子パネルに形成される影が外柱の領域に収まる範囲内であってよい。
【００４３】
この構成によれば、電子パネルから延出するフレキシブル基板の位置を内柱によって固定できると共に、光源からの光によって電子パネルに形成される内柱の影を、外柱の領域に収めることができる。よって、内柱の影が照明器具を見る人から視認されることを防止できる。
【００４４】
また、照明器具の形状は正四角柱であり、内柱の突出方向と電子パネルとの間の角度は略４５度であってよい。あるいは、照明器具の形状は真円柱の形状であり、内柱の突出方向と電子パネルとの間の角度は略９０度であってよい。
【００４５】
この構成によれば、内柱の影の大きさが最小となるので、外柱の幅を最小にできる。
【００４６】
以上、添付図面を参照しながら実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した実施の形態における各構成要素を任意に組み合わせてもよい。
【産業上の利用可能性】
【００４７】
本開示の技術は、照明器具に利用可能である。
【符号の説明】
【００４８】
１  照明器具
１１  光源
１２  電子パネル
１３  下面パネル
１４  制御筐体
１５  制御部
１６  電源ケーブル
１７  ワイヤー
１８  外柱
１９  フレキシブル基板
２０  内柱
３０  側稜
３１  基板接続辺
【要約】
【課題】画像を表示する電子パネルの端から延出するフレキシブル基板が電子パネルに影を形成することを防止した照明器具を提供する。
【解決手段】鉛直方向に延びる角柱の形状の照明器具は、角柱の内部に配置され、光を発する光源と、角柱の各側面を形成し、光源が発した光を加工して透過させる電子パネルと、電子パネルの鉛直方向の１辺から角柱の内部に向けて延出するフレキシブル基板と、角柱の側稜の外側に当該側稜に沿って取り付けられ、当該側稜に直交する方向の所定の幅にて電子パネルの一部領域をカバーする外柱と、角柱の側稜の内側に当該側稜に沿って取り付けられ、フレキシブル基板をカバーする内柱とを備え、外柱及び内柱は、内柱が光源の光を妨げることにより電子パネルに形成される内柱の影が外柱の領域に収まる構成である。
【選択図】図３【図１】
0006782437.tif 000002
【図２】
0006782437.tif 000003
【図３】
0006782437.tif 000004
【図４】
0006782437.tif 000005